(57)【要約】【課題】回線混雑時にチャネル数を確保する交換機、交換機制御プログラム、交換機制御方法を提供する。【解決手段】端末装置と回線網の間に接続された交換機であって、回線網の状況を監視する監視部と、発信側の端末装置からの発信時、監視部による監視結果に基づいて回線網の状況が所定の回線条件を満たすと判断し、且つ、発信側の端末装置からチャネル確保の指示を受信した場合、発信側の端末装置からの送信に用いるチャネルを確保するチャネル制御部とを備えた。【選択図】図１
2008042290.tif 000002
【特許請求の範囲】
【請求項１】
端末装置と回線網の間に接続された交換機であって、
前記回線網の状況を監視する監視部と、
発信側の端末装置からの発信時、前記監視部による監視結果に基づいて前記回線網の状況が所定の回線条件を満たすと判断し、且つ、前記発信側の端末装置からチャネル確保の指示を受信した場合、前記発信側の端末装置からの送信に用いるチャネルを確保するチャネル制御部と
を備える交換機。
【請求項２】
請求項１に記載の交換機において、
更に、前記チャネル制御部からの指示に基づいて、前記発信側の端末装置からの伝送データをデータ圧縮して圧縮データに変換するデータ変換部を備えることを特徴とする交換機。
【請求項３】
請求項１または請求項２に記載の交換機において、
更に、前記圧縮データを記憶すると共に、前記チャネル制御部により確保されたチャネルへ前記圧縮データを送信するデータ送信部を備えることを特徴とする交換機。
【請求項４】
端末装置と回線網の間に接続された交換機のコンピュータに実行させる交換機制御プログラムであって、
前記回線網の状況を監視する監視ステップと、
発信側の端末装置からの発信時、前記監視ステップによる監視結果に基づいて前記回線網の状況が所定の回線条件を満たすと判断し、且つ、前記発信側の端末装置からチャネル確保の指示を受信した場合、前記発信側の端末装置からの送信に用いるチャネルを確保するチャネル制御ステップと
をコンピュータに実行させる交換機制御プログラム。
【請求項５】
端末装置と回線網の間に接続された交換機の制御を行う交換機制御方法であって、
前記回線網の状況を監視する監視ステップと、
発信側の端末装置からの発信時、前記監視ステップによる監視結果に基づいて前記回線網の状況が所定の回線条件を満たすと判断し、且つ、前記発信側の端末装置からチャネル確保の指示を受信した場合、前記発信側の端末装置からの送信に用いるチャネルを確保するチャネル制御ステップと
を実行する交換機制御方法。
【発明の詳細な説明】
【技術分野】
【０００１】
本発明は、回線混雑時における通信の制御を行う交換機、交換機制御プログラム、交換機制御方法に関するものである。
【背景技術】
【０００２】
電話を用いる通信システムにおいて、回線混雑時に情報伝達が困難になる。
【０００３】
なお、本発明の関連ある従来技術として、ネットワークの輻輳発生状態に応じてプロトコルを選択できるインターネット電話装置がある（例えば、特許文献１参照）。
【特許文献１】特開２００１−２９８４７９号公報
【発明の開示】
【発明が解決しようとする課題】
【０００４】
交換機は、同時接続通話チャネル数が限られており、回線が混雑している場合、ユーザが電話機をオフフックしてもビジー状態となり全く通話ができない。更に、回線混雑時であっても、確実に伝達すべき情報が多く存在する。
【０００５】
本発明は上述した問題点を解決するためになされたものであり、回線混雑時にチャネル数を確保する交換機、交換機制御プログラム、交換機制御方法を提供することを目的とする。
【課題を解決するための手段】
【０００６】
上述した課題を解決するため、本発明は、端末装置と回線網の間に接続された交換機であって、前記回線網の状況を監視する監視部と、発信側の端末装置からの発信時、前記監視部による監視結果に基づいて前記回線網の状況が所定の回線条件を満たすと判断し、且つ、前記発信側の端末装置からチャネル確保の指示を受信した場合、前記発信側の端末装置からの送信に用いるチャネルを確保するチャネル制御部とを備えたものである。
【０００７】
また、本発明に係る交換機において、更に、前記チャネル制御部からの指示に基づいて、前記発信側の端末装置からの伝送データをデータ圧縮して圧縮データに変換するデータ変換部を備えることを特徴とする。
【０００８】
また、本発明に係る交換機において、前記チャネル制御部は、前記発信側の端末装置に伝送データのデータ圧縮の指示を行い、前記発信側の端末装置によりデータ圧縮された圧縮データを受信することを特徴とする。
【０００９】
また、本発明に係る交換機において、更に、前記圧縮データを記憶すると共に、前記チャネル制御部により確保されたチャネルへ前記圧縮データを送信するデータ送信部を備えることを特徴とする。
【００１０】
また、本発明に係る交換機において、前記監視部は、前記圧縮データが着信側の端末装置に受領されたか否かの判断を行い、前記監視部により前記圧縮データが着信側の端末装置に受領されなかったと判断された場合、前記データ送信部は、記憶している前記圧縮データの再送を行うことを特徴とする。
【００１１】
また、本発明に係る交換機において、前記データ変換部は、前記回線網から圧縮データを受信した場合、該圧縮データを復元して伝送データに変換し、着信側の端末装置へ該伝送データを送信することを特徴とする。
【００１２】
また、本発明に係る交換機において、前記所定の回線条件は、回線使用率が所定の閾値を超えることであることを特徴とする。
【００１３】
また、本発明は、端末装置と回線網の間に接続された交換機のコンピュータに実行させる交換機制御プログラムであって、前記回線網の状況を監視する監視ステップと、発信側の端末装置からの発信時、前記監視ステップによる監視結果に基づいて前記回線網の状況が所定の回線条件を満たすと判断し、且つ、前記発信側の端末装置からチャネル確保の指示を受信した場合、前記発信側の端末装置からの送信に用いるチャネルを確保するチャネル制御ステップとをコンピュータに実行させるものである。
【００１４】
また、本発明に係る交換機制御プログラムにおいて、更に、前記チャネル制御ステップからの指示に基づいて、前記発信側の端末装置からの伝送データをデータ圧縮して圧縮データに変換するデータ変換ステップをコンピュータに実行させることを特徴とする。
【００１５】
また、本発明に係る交換機制御プログラムにおいて、前記チャネル制御ステップは、前記発信側の端末装置に伝送データのデータ圧縮の指示を行い、前記発信側の端末装置によりデータ圧縮された圧縮データを受信することを特徴とする。
【００１６】
また、本発明に係る交換機制御プログラムにおいて、更に、前記圧縮データを記憶すると共に、前記チャネル制御ステップにより確保されたチャネルへ前記圧縮データを送信するデータ送信ステップをコンピュータに実行させることを特徴とする。
【００１７】
また、本発明に係る交換機制御プログラムにおいて、前記監視ステップは、前記圧縮データが着信側の端末装置に受領されたか否かの判断を行い、前記監視ステップにより前記圧縮データが着信側の端末装置に受領されなかったと判断された場合、前記データ送信ステップは、記憶している前記圧縮データの再送を行うことを特徴とする。
【００１８】
また、本発明に係る交換機制御プログラムにおいて、更に、前記回線網から圧縮データを受信した場合、該圧縮データを復元して伝送データに変換し、着信側の端末装置へ該伝送データを送信するデータ復元ステップをコンピュータに実行させることを特徴とする。
【００１９】
また、本発明に係る交換機制御プログラムにおいて、前記所定の回線条件は、回線使用率が所定の閾値を超えることであることを特徴とする。
【００２０】
また、本発明は、端末装置と回線網の間に接続された交換機の制御を行う交換機制御方法であって、前記回線網の状況を監視する監視ステップと、発信側の端末装置からの発信時、前記監視ステップによる監視結果に基づいて前記回線網の状況が所定の回線条件を満たすと判断し、且つ、前記発信側の端末装置からチャネル確保の指示を受信した場合、前記発信側の端末装置からの送信に用いるチャネルを確保するチャネル制御ステップとを実行するものである。
【００２１】
また、本発明に係る交換機制御方法において、更に、前記回線網から圧縮データを受信した場合、該圧縮データを復元して伝送データに変換し、着信側の端末装置へ該伝送データを送信するデータ復元ステップを実行することを特徴とする。
【発明の効果】
【００２２】
本発明によれば、回線混雑時のチャネル数を確保することができる。
【発明を実施するための最良の形態】
【００２３】
以下、本発明の実施の形態について図面を参照しつつ説明する。
【００２４】
まず、本実施の形態に係る交換機である電話交換機を用いた通信システムの構成について説明する。
【００２５】
図１は、本実施の形態に係る通信システムの構成の一例を示すブロック図である。この通信システムは、電話交換機１ａ，１ｂ、電話機２ａ，２ｂ，２ｃ，２ｄ，２ｅ，２ｆ（端末装置）、回線網３、基地局５ａ，５ｂを備える。電話交換機１ａ、電話機２ａ，２ｂ，２ｃ、基地局５ａは、発信側を示し、電話交換機１ｂ、電話機２ｄ，２ｅ，２ｆ、基地局５ｂは、着信側を示す。
【００２６】
電話機２ａ，２ｄは、アナログ信号により電話交換機１と通信を行うものであり、電話機２ｂ，２ｅは、デジタル信号により電話交換機１と通信を行うものであり、電話機２ｃ，２ｆは、無線デジタル信号により基地局５と通信を行うものであり、基地局５は、デジタル信号により電話交換機１と通信を行うものである。ある電話交換機１ａは、回線網３、電話機２ａ，２ｂ，２ｃに接続され、別の電話交換機１ｂは、回線網３、電話機２ｄ，２ｅ，２ｆに接続される。なお、電話機２ａ，２ｂ，２ｃ，２ｄ，２ｅ，２ｆは、これらの一部だけを用いても良いし、他の通信方式を用いた通信端末装置を用いても良い。
【００２７】
図２は、本実施の形態に係る電話交換機の構成の一例を示すブロック図である。電話交換機１は、回線網３、複数の電話機２に接続される。また、電話交換機１は、ＳＬＣ（Subscriber Line Circuit：加入者回路）１２、ＳＬＣ制御部１３、スイッチ１４、局外Ｉ／Ｆ部１５、監視部１６、トランク回路１７を備える。回線網３は、電話網６、ＩＰ網７（Internet Protocol）を含む。なお、回線網３は、電話網６とＩＰ網７のいずれか一方のみを用いても良い。
【００２８】
ＳＬＣ１２、ＳＬＣ制御部１３、スイッチ１４、局外Ｉ／Ｆ部１５は、従来の電話交換機の機能と同様である。ＳＬＣ１２は、ＢＯＲＳＣＨＴ（Battery feed, Over voltage protection, Ringing signal sending, Supervisory, Coder-decoder, Hybrid, Testing）機能を持ち、アナログ方式の電話機２もデジタル加入者回線に収容することができる。
【００２９】
監視部１６は、電話交換機１の回線使用率（電話交換機１が使用可能な回線数に対する使用中の回線数の割合、または電話交換機１が使用可能な帯域幅に対する使用中の帯域幅の割合）を監視する。トランク回路１７は、リンガー部２１、ＰＢ（Push Button）部２２、ＤＴ（Dial Tone）コントロール部２３、通話確保処理部３１（チャネル制御部）、データ処理部３２（データ変換部）、データベース３３（データ送信部）、アナウンス部３４を備える。リンガー部２１、ＰＢ部２２、ＤＴコントロール部２３は、従来の電話交換機の機能と同様である。
【００３０】
トランク回路１７におけるその他の各部の機能は、電話交換機１が発信側である場合と着信側である場合で異なる。通話確保処理部３１は、発信側において通話確保モードの実行を行い、着信側において受領確認の発行を行う。データ処理部３２は、発信側において伝送データを圧縮データに圧縮し、着信側において圧縮データをデータ復元して伝送データに復元する。データベース３３は、発信側において圧縮データの保管または削除を行う。アナウンス部３４は、着信側において伝送データに含まれた日付や発信者などを着信側の電話機２へ通知する。
【００３１】
次に、本実施の形態における通信システムの動作について説明する。
【００３２】
発信側の電話交換機１である発信側電話交換機は、回線混雑時、通話確保処理部３１により通話確保モードを実行し、データ処理部３２によりデータ圧縮を行ってチャネルあたりの情報伝送量を減らすことにより、接続通話数またはＩＰ回線網のリソース（チャネル）を確保して同時接続通話チャネル数を増加させる。また、発信側電話交換機は、データベース３３によりデータの保管を行い、呼損などによる不達の場合、データを再送する。例えば、発信側電話交換機は、回線混雑時、利用可能な帯域幅の１％を用いて通話確保モードを実行し、通話確保モードにおける伝送データを１／１００に圧縮することにより、同時接続通話チャネル数を通常時の約２倍にすることができる。なお、電話交換機１は、予め予備の帯域を用意しておき、通話確保モードの実行時だけ、予備の帯域を使用するようにしても良い。
【００３３】
図３は、本実施の形態に係る通信システムにおける発信側の動作の一例を示すシーケンス図である。図４は、本実施の形態に係る通信システムにおける着信側の動作の一例を示すシーケンス図である。このシーケンス図のうち、図３は、発信側（発信側の電話機２である発信端末、発信側の電話機２に接続された電話交換機１である発信側電話交換機）の動作を示す。また、図４は、回線網３、着信側（着信側の電話機２に接続された電話交換機１である着信側電話交換機、着信側の電話機２である着信端末）の動作を示す。
【００３４】
まず、発信端末がオフフックを行い、発信側電話交換機へ発信すると（Ｓ１１）、発信側電話交換機のＳＬＣ制御部１３は、ビジー判断を行う（Ｓ１２）。ここで、ＳＬＣ制御部１３は、例えば、監視部１６が検出した回線使用率が所定の閾値を超えている場合にビジーと判断する。ビジーでない場合（Ｓ１２，Ｎｏ）、ＳＬＣ制御部１３は、従来の電話交換機と同様にして回線網３への接続の処理を行う（Ｓ１３）。ビジーである場合（Ｓ１２，Ｙｅｓ）、通話確保処理部３１は、発信端末のユーザから通話確保モードの利用の確認を得るための通話確保モード利用確認要求を、ビジー音と共に発信端末へ送信する（Ｓ１４）。次に、発信端末は、発信側電話交換機からの通話確保モード利用確認要求に従って、ユーザに確認を行い、ユーザから通話確保モード利用の確認が得られた否かの判断を行う（Ｓ１５）。
【００３５】
ユーザか通話確認モード利用の確認が得られない場合（Ｓ１５，Ｎｏ）、発信端末は、オンフックを行い（Ｓ１６）、このフローを終了する。一方、ユーザか通話確認モード利用の確認が得られた場合（Ｓ１５，Ｙｅｓ）、発信端末は、通話確認モード利用確認を発信側電話交換機へ送信する。次に、監視部１６は、回線網の監視を行うことにより回線使用率を取得し（Ｓ２２）、通話確保処理部３１は、回線使用率と発信端末からのデータ量、距離、プロトコルなどに基づいて、適切な通話確保モードの選択を行う（Ｓ２３）。通話確保モードは、使用するデータ圧縮方法、回線（電話網６またはＩＰ網７におけるチャネル）、帯域などを指定するものである。
【００３６】
ここで、通話確保処理部３１は、使用する回線として、例えば回線使用率が小さい（混雑していない）回線、帯域の広い回線、遅延の小さい回線などを選択する。また、通話確保処理部３１は、送信するデータ量に応じて帯域を決定する。また、通話確保処理部３１は、使用するデータ圧縮方法として、例えば、次に示す第１の方法、第２の方法、第３の方法のいずれかを用いる。
【００３７】
第１の方法において、データ処理部３２は、電話機２からの音声信号がアナログ信号であればＡ／Ｄ変換によりデジタル信号である音声データに変換し、音声データに対して音声圧縮符号化を行い、符号化結果を圧縮データとする。第２の方法において、データ処理部３２は、電話機２からの音声信号または音声データに対して音声認識を行うことにより文字データに変換し、文字データを圧縮データとする。第３の方法において、データ処理部３２は、予め用意された定型文の候補を発信端末に通知することにより、発信端末のユーザに候補の中から一つを選択させ、選択された定型文の番号を圧縮データとする。定型文は、例えば、緊急時の無事の確認など、回線が混雑しやすい状況に対応した文章であり、伝送する必要のある最低限の文章である。これらのデータ圧縮方法を用いることにより、通常時の１つのチャネルの帯域と比較して、通話確保モードにおける１つのチャネルの帯域を大幅に削減することができる。
【００３８】
次に、通話確保処理部３１は、監視部１６により選択された通話確保モード開始通知を発信端末へ発行する（Ｓ２４）。なお、通話確保処理部３１は、ユーザに対して通話確保モードの利用の確認を行わずに、通話確保処理部３１の判断で通話確保モードを開始し、通話確保モードの通知を発信端末に送信するようにしても良い。
【００３９】
次に、発信端末は、通話確保モード開始通知を受領すると（Ｓ２５）、ユーザからの伝送データ（音声またはデータ）の入力を受け付け、入力された伝送データを発信側電話交換機へ送信する（Ｓ２６）。次に、データ処理部３２は、発信端末からの伝送データに発信者や日付情報などの基本情報を付与し、通話確保モードにおけるデータ圧縮方法に従って伝送データのデータ圧縮を行う（Ｓ３１）。データベース３３は、データ圧縮の結果である圧縮データを保管する（Ｓ３２）。次に、監視部１６は、データベース３３に圧縮データが存在するか否かの監視を開始し（Ｓ３３）、通話確保モードにおける回線に従って回線網３への送信が可能であるか否かの判断を行う（Ｓ３４）。送信が不可能である場合（Ｓ３４，ＮＧ）、監視部１６は、所定の時間経過後に処理Ｓ３３に戻り、再び送信を試みる。一方、送信が可能である場合（Ｓ３４，ＯＫ）、局外Ｉ／Ｆ部１５は、データベース３３に保管された圧縮データを読み込み、回線網３を介して着信側電話交換機へ圧縮データを送信する（Ｓ３５）。
【００４０】
また、処理Ｓ３３から所定の時間が経過した後、監視部１６がデータベース３３に圧縮データが存在することを検出した場合、監視部１６は圧縮データが呼損などにより不達となったと判断し、局外Ｉ／Ｆ部１５に圧縮データの再送の指示を行う。
【００４１】
次に、回線網３を介して圧縮データを受信した着信側電話交換機のデータ処理部３２は、圧縮データから伝送データへのデータ復元を行う（Ｓ４１）。次に、アナウンス部３４は、伝送データに含まれた基本情報を着信端末に通知し、ＳＬＣ制御部１３は、着信端末との接続が可能であるか否かの判断を行う（Ｓ４２）。接続が不可能である場合（Ｓ４２，ＮＧ）、ＳＬＣ制御部１３は、伝送データを破棄する（Ｓ４３）。一方、接続が可能である場合（Ｓ４２，ＯＫ）、伝送データを着信端末へ送信する。次に、着信端末は、伝送データを受領し（Ｓ４４）、受領したことを示す応答を着信側電話交換機へ送信する（Ｓ４５）。次に、応答を受信した着信側電話交換機の通話確保処理部３１は、受領確認を発行し（Ｓ４６）、回線網３を介して発信側電話交換機へ受領確認を送信する（Ｓ５１）。
【００４２】
次に、受領確認を受信した発信側電話交換機のＳＬＣ制御部１３は、発信端末との接続が可能であるか否かの判断を行う（Ｓ５２）。接続が不可能である場合（Ｓ５２，ＮＧ）、ＳＬＣ制御部１３は、受領確認を破棄する（Ｓ５３）。一方、接続が成功である場合（Ｓ５２，ＯＫ）、ＳＬＣ制御部１３は、受領確認を発信端末へ送信する。次に、発信端末は、受領確認を受領し、受領確認を受領したことを示す応答を発信側電話交換機へ送信する（Ｓ５４）。次に、応答を受信した発信側電話交換機の通話確保処理部３１は、通話確保モードを終了し、通話確保モード終了通知を発信端末へ送信し（Ｓ５５）、データベース３３に保管された圧縮データを削除し（Ｓ５６）、次に、通話確保モード終了通知を受信した発信端末は、オンフックを行い（Ｓ５７）、このフローを終了する。
【００４３】
なお、発信側電話交換機のデータ処理部３２がデータ圧縮を行う代わりに発信端末がデータ圧縮を行い、着信側電話交換機のデータ処理部３２がデータ復元を行う代わりに着信端末がデータ復元を行っても良い。
【００４４】
本実施の形態によれば、回線混雑時、発信側で伝送データを圧縮して送信し、着信側で伝送データに復元することにより、限られたリソースを用いてチャネルを確保し、通話不可能な状態を回避することができる。また、着信端末が伝送データを受領したことを発信端末に通知することにより、確実な情報伝達を行うことができる。また、災害時などに通話確保モードを適用することにより、安否確認などの重要な情報伝達を確実に行うことができる。
【００４５】
なお、監視ステップは、実施の形態における処理Ｓ２２，Ｓ３３に対応する。また、チャネル制御ステップは、実施の形態における処理Ｓ２３，Ｓ２４に対応する。また、データ変換ステップは、実施の形態におけるＳ３１に対応する。また、データ送信ステップは、実施の形態におけるＳ３２，Ｓ３３，Ｓ３４に対応する。また、データ復元ステップは、実施の形態におけるＳ４１に対応する。
【００４６】
更に、交換機を構成するコンピュータにおいて上述した各ステップを実行させるプログラムを、交換機制御プログラムとして提供することができる。上述したプログラムは、コンピュータにより読取り可能な記録媒体に記憶させることによって、交換機を構成するコンピュータに実行させることが可能となる。ここで、上記コンピュータにより読取り可能な記録媒体としては、ＲＯＭやＲＡＭ等のコンピュータに内部実装される内部記憶装置、ＣＤ−ＲＯＭやフレキシブルディスク、ＤＶＤディスク、光磁気ディスク、ＩＣカード等の可搬型記憶媒体や、コンピュータプログラムを保持するデータベース、或いは、他のコンピュータ並びにそのデータベースや、更に回線上の伝送媒体をも含むものである。
【００４７】
（付記１）  端末装置と回線網の間に接続された交換機であって、
前記回線網の状況を監視する監視部と、
発信側の端末装置からの発信時、前記監視部による監視結果に基づいて前記回線網の状況が所定の回線条件を満たすと判断し、且つ、前記発信側の端末装置からチャネル確保の指示を受信した場合、前記発信側の端末装置からの送信に用いるチャネルを確保するチャネル制御部と
を備える交換機。
（付記２）  付記１に記載の交換機において、
更に、前記チャネル制御部からの指示に基づいて、前記発信側の端末装置からの伝送データをデータ圧縮して圧縮データに変換するデータ変換部を備えることを特徴とする交換機。
（付記３）  付記１に記載の交換機において、
前記チャネル制御部は、前記発信側の端末装置に伝送データのデータ圧縮の指示を行い、前記発信側の端末装置によりデータ圧縮された圧縮データを受信することを特徴とする交換機。
（付記４）  付記１乃至付記３のいずれかに記載の交換機において、
更に、前記圧縮データを記憶すると共に、前記チャネル制御部により確保されたチャネルへ前記圧縮データを送信するデータ送信部を備えることを特徴とする交換機。
（付記５）  付記４に記載の交換機において、
前記監視部は、前記圧縮データが着信側の端末装置に受領されたか否かの判断を行い、
前記監視部により前記圧縮データが着信側の端末装置に受領されなかったと判断された場合、前記データ送信部は、記憶している前記圧縮データの再送を行うことを特徴とする交換機。
（付記６）  付記４または付記５に記載の交換機において、
前記データ変換部は、前記回線網から圧縮データを受信した場合、該圧縮データを復元して伝送データに変換し、着信側の端末装置へ該伝送データを送信することを特徴とする交換機。
（付記７）  付記１乃至付記６のいずれかに記載の交換機において、
前記所定の回線条件は、回線使用率が所定の閾値を超えることであることを特徴とする交換機。
（付記８）  端末装置と回線網の間に接続された交換機のコンピュータに実行させる交換機制御プログラムであって、
前記回線網の状況を監視する監視ステップと、
発信側の端末装置からの発信時、前記監視ステップによる監視結果に基づいて前記回線網の状況が所定の回線条件を満たすと判断し、且つ、前記発信側の端末装置からチャネル確保の指示を受信した場合、前記発信側の端末装置からの送信に用いるチャネルを確保するチャネル制御ステップと
をコンピュータに実行させる交換機制御プログラム。
（付記９）  付記８に記載の交換機制御プログラムにおいて、
更に、前記チャネル制御ステップからの指示に基づいて、前記発信側の端末装置からの伝送データをデータ圧縮して圧縮データに変換するデータ変換ステップをコンピュータに実行させることを特徴とする交換機制御プログラム。
（付記１０）  付記８に記載の交換機制御プログラムにおいて、
前記チャネル制御ステップは、前記発信側の端末装置に伝送データのデータ圧縮の指示を行い、前記発信側の端末装置によりデータ圧縮された圧縮データを受信することを特徴とする交換機制御プログラム。
（付記１１）  付記８乃至付記１０のいずれかに記載の交換機制御プログラムにおいて、
更に、前記圧縮データを記憶すると共に、前記チャネル制御ステップにより確保されたチャネルへ前記圧縮データを送信するデータ送信ステップをコンピュータに実行させることを特徴とする交換機制御プログラム。
（付記１２）  付記１１に記載の交換機制御プログラムにおいて、
前記監視ステップは、前記圧縮データが着信側の端末装置に受領されたか否かの判断を行い、
前記監視ステップにより前記圧縮データが着信側の端末装置に受領されなかったと判断された場合、前記データ送信ステップは、記憶している前記圧縮データの再送を行うことを特徴とする交換機制御プログラム。
（付記１３）  付記１１または付記１２に記載の交換機制御プログラムにおいて、
更に、前記回線網から圧縮データを受信した場合、該圧縮データを復元して伝送データに変換し、着信側の端末装置へ該伝送データを送信するデータ復元ステップをコンピュータに実行させることを特徴とする交換機制御プログラム。
（付記１４）  付記８乃至付記１３のいずれかに記載の交換機制御プログラムにおいて、
前記所定の回線条件は、回線使用率が所定の閾値を超えることであることを特徴とする交換機制御プログラム。
（付記１５）  端末装置と回線網の間に接続された交換機の制御を行う交換機制御方法であって、
前記回線網の状況を監視する監視ステップと、
発信側の端末装置からの発信時、前記監視ステップによる監視結果に基づいて前記回線網の状況が所定の回線条件を満たすと判断し、且つ、前記発信側の端末装置からチャネル確保の指示を受信した場合、前記発信側の端末装置からの送信に用いるチャネルを確保するチャネル制御ステップと
を実行する交換機制御方法。
（付記１６）  付記１５に記載の交換機制御方法において、
更に、前記チャネル制御ステップからの指示に基づいて、前記発信側の端末装置からの伝送データをデータ圧縮して圧縮データに変換するデータ変換ステップを実行することを特徴とする交換機制御方法。
（付記１７）  付記１５に記載の交換機制御方法において、
前記チャネル制御ステップは、前記発信側の端末装置に伝送データのデータ圧縮の指示を行い、前記発信側の端末装置によりデータ圧縮された圧縮データを受信することを特徴とする交換機制御方法。
（付記１８）  付記１５乃至付記１７のいずれかに記載の交換機制御方法において、
更に、前記圧縮データを記憶すると共に、前記チャネル制御ステップにより確保されたチャネルへ前記圧縮データを送信するデータ送信ステップを実行することを特徴とする交換機制御方法。
（付記１９）  付記１８に記載の交換機制御方法において、
前記監視ステップは、前記圧縮データが着信側の端末装置に受領されたか否かの判断を行い、
前記監視ステップにより前記圧縮データが着信側の端末装置に受領されなかったと判断された場合、前記データ送信ステップは、記憶している前記圧縮データの再送を行うことを特徴とする交換機制御方法。
（付記２０）  付記１８または付記１９に記載の交換機制御方法において、
更に、前記回線網から圧縮データを受信した場合、該圧縮データを復元して伝送データに変換し、着信側の端末装置へ該伝送データを送信するデータ復元ステップを実行することを特徴とする交換機制御方法。
【図面の簡単な説明】
【００４８】
【図１】本実施の形態に係る通信システムの構成の一例を示すブロック図である。
【図２】本実施の形態に係る電話交換機の構成の一例を示すブロック図である。
【図３】本実施の形態に係る通信システムにおける発信側の動作の一例を示すシーケンス図である。
【図４】本実施の形態に係る通信システムの着信側の動作の一例を示すシーケンス図である。
【符号の説明】
【００４９】
１，１ａ，１ｂ  電話交換機、２，２ａ，２ｂ，２ｃ，２ｄ，２ｅ，２ｆ  電話機、３  回線網、５ａ，５ｂ  基地局、６  電話網、７  ＩＰ網、１２  ＳＬＣ、１３  ＳＬＣ制御部、１４  スイッチ、１５  局外Ｉ／Ｆ部、１６  監視部、１７  トランク回路、２１  リンガー部、２２  ＰＢ部、２３  ＤＴコントロール部、３１  通話確保処理部、３２  データ処理部、３３  データベース、３４  アナウンス部。
【図１】
2008042290.tif 000003
【図２】
2008042290.tif 000004
【図３】
2008042290.tif 000005
【図４】
2008042290.tif 000006